(57)【特許請求の範囲】
【請求項１】
軸心方向に貫通する中空路が設けられた側溝の吊り上げ部材であり、
側溝の一側面側から前記中空路内に挿入し、前記側溝を上方へ持ち上げる挿入持ち上げ杆と、
該挿入持ち上げ杆の基端より略直角に連結された基杆と、
基杆に連結されて基杆の上端より前記挿入持ち上げ杆の突設方向と略同方向に突設された操作杆と、
操作杆の先端部に設けられた第１フック部と、
操作杆の突設方向略中間位置に設けられた第２フック部と、前記第１フック部に先端側が、及び第２フック部には途中部分が係止可能とされた吊り上げ用ロープと、
基杆の上端に設けられた操作用取っ手と、
を有し、
前記吊り上げ用ロープは、前記側溝の吊り上げ作業時に、前記第１フック部と第２フック部双方に係止可能とされ、
前記挿入持ち上げ杆は、前記吊り上げ部材を吊り上げ、前記操作用取っ手の前方押し時に、側溝中空路内に挿入可能とされ、
前記第２フック部に係止する前記吊り上げ用ロープの途中部分を外しての前記側溝の吊り上げ時に、前記側溝を水平状態吊り上げ保持可能とされた、
ことを特徴とする側溝吊り上げ部材。
【発明の詳細な説明】
【０００１】
【発明の属する技術分野】
本発明は、例えば、軸心方向に貫通する中空路が設けられたコンクリート製側溝などの側講吊り上げ部材に関するものである。
【０００２】
【従来の技術】
従来、長尺柱状をなし、軸心方向に貫通する中空路を有するコンクリート製側溝を吊り上げて運搬するには、当該コンクリート製側溝の両端部側側壁に吊り上げ用の穴を４カ所設け、該４カ所の吊り上げ穴に吊り上げ部材を差し込んで上方に吊り上げて運搬する方法がとられていた。
【０００３】
【発明が解決しようとする課題】
しかしながら、従来ではコンクリート製側溝の両端部側側壁４カ所に吊り上げて運搬するための穴を予め設けなければならず、そのための形成作業が比較的面倒であった。
【０００４】
すなわち、コンクリート製側溝を製造するための製造型枠に上記４カ所の穴を穿設し、その穴から穴形成用の部材を型枠内に突出するように設置し、その状態で製造型枠内にコンクリートを流し込み、もって予め両端部側側壁４カ所に穴が設けられたコンクリート製側溝を形成するのであるが、このようにいちいち製造型枠の４カ所から穴形成部材を差し込み、脱型時には差し込んだ穴形成部材を抜き取る作業は製造現場できわめて面倒な作業となっていた。
【０００５】
かくして本発明は前記従来の課題に対処すべく創案されたものであって、軸心方向に貫通する中空路が設けられたコンクリート製側溝に何らの加工を施すことなく、しかも簡単に安全にスムーズに吊り上げ、運搬することが出来るコンクリート製側溝などの側講吊り上げ部材を提供することを目的とするものである。
【０００６】
しかも、コンクリート製側溝の長さが比較的長いタイプのものであっても、同一の側溝吊り上げ部材で兼用使用できる吊り上げ部材を提供することを目的とするものである。
【０００７】
【課題を解決するための手段】
本発明による側溝吊り上げ部材は、軸心方向に貫通する中空路が設けられた側溝の吊り上げ部材であり、
側溝の一側面側から前記中空路内に挿入し、前記側溝を上方へ持ち上げる挿入持ち上げ杆と、
該挿入持ち上げ杆の基端より略直角に連結された基杆と、
基杆に連結されて基杆の上端より前記挿入持ち上げ杆の突設方向と略同方向に突設された操作杆と、
操作杆の先端部に設けられた第１フック部と、
操作杆の突設方向略中間位置に設けられた第２フック部と、前記第１フック部に先端側が、及び第２フック部には途中部分が係止可能とされた吊り上げ用ロープと、
基杆の上端に設けられた操作用取っ手と、
を有し、
前記吊り上げ用ロープは、前記側溝の吊り上げ作業時に、前記第１フック部と第２フック部双方に係止可能とされ、
前記挿入持ち上げ杆は、前記吊り上げ部材を吊り上げ、前記操作用取っ手の前方押し時に、側溝中空路内に挿入可能とされ、
前記第２フック部に係止する前記吊り上げ用ロープの途中部分を外しての前記側溝の吊り上げ時に、前記側溝を水平状態吊り上げ保持可能とされた、
ことを特徴とするものである。
【０００８】
【発明の実施の形態】
以下、図に基づいて本発明に係る側溝吊り上げ部材の一実施の態様について説明する。図において符号１は側溝吊り上げ部材を示す。当該側溝吊り上げ部材１は、挿入持ち上げ杆２と基杆３と操作杆４と吊り上げ用ロープ５とを有して構成される。
【０００９】
符号６はコンクリート製側溝を示し、該コンクリート製側溝６は略方形柱状をなして形成されている。そして、その軸心方向には貫通する楕円形状の中空路７が設けられている。ここで、側溝吊り上げ部材１は図から理解されるように、挿入持ち上げ杆２の基端側に基杆３が略直角に連結されている。
【００１０】
そして、さらに基杆３の上端側からは前記挿入持ち上げ杆２の突設方向と同方向に突設された操作杆４が連結されている。さらに操作杆４の上面先端部には第１フック部８が設けられ、上面略中間位置には第２フック部９が設けられている。そして、この第１フック部８には吊り上げ用ロープ５が係止され、第２フック部９にも吊り上げ用ロープ５が係止するよう構成されている。
【００１１】
また、基杆３の上端には操作用取っ手１０が設けられており、図２に示すように操作用取っ手１０を使用して当該側溝吊り上げ部材１を操作する。しかして、本発明による側溝吊り上げ部材１は図２の様にして操作者１１が操作用取っ手１０を持ち、前方に挿入持ち上げ杆２を押してコンクリート製側溝６の中空路７内に押し込む。
【００１２】
そして、その際、図３から理解されるように、吊り上げ用ロープ５が第１フック部８と第２フック部９とに掛かっているが、それを第２フック部９からはずす。ここで、側溝吊り上げ部材１は図４の状態の様に若干傾くがその状態から吊り上げ用ロープ５を上方に吊り上げる。
【００１３】
すると、丁度バランスがとれ、図５の状態でコンクリート製側溝６を確実、安全、スムーズに吊り上げることが出来る。尚、挿入持ち上げ杆２の外周には接触するコンクリート製側溝６の中空路７内面を損傷しないようラバー等の保護部材を添着しておくことが好ましい。運搬後は、また、吊り上げ用ロープ５を第２フック部９に引っ掛けて、側溝吊り上げ部材１を中空路７内から退却させ、挿入持ち上げ杆２を中空路７内から完全に抜いた後、地面上に吊り上げ杆１をおろす。
【００１４】
尚ここで、吊り上げ運搬すべきコンクリート製側溝６が比較的長いタイプのものであっても、同一の吊り上げ部材１を使用できる。すなわち、コンクリート製側溝６の長さに合わせた長さの挿入持ち上げ杆を有する吊り上げ部材を使用する必要がない。なぜなら、挿入持ち上げ杆２の先端に設けられた第１フック部８の位置が持ち上げるべきコンクリート製側溝６の略中間位置あるいは若干挿入方向側にずれた位置であっても充分コンクリート製側溝を水平に吊り上げ、保持することが出来るからである。
【００１５】
【発明の効果】
かくして本発明は以上の構成よりなる。そして、本発明による側溝吊り上げ部材であれば、コンクリート製側溝に何らの加工を施すことなく、しかも簡単に安全にスムーズに前記軸心方向に貫通する中空路を有するコンクリート製側溝を吊り上げ、運搬することが出来る。
【００１６】
しかも、コンクリート製側溝の長さが比較的長いタイプのものであっても、同一の側溝吊り上げ部材が兼用使用できるとの優れた効果を奏する。
【図面の簡単な説明】
【図１】本発明による側溝吊り上げ部材の構成を説明する構成説明図である。
【図２】本発明による側溝吊り上げ部材の使用状態を説明する使用状態説明図である。
【図３】第１フック部と第２フック部の構成を説明する構成説明図である。
【図４】本発明による側溝吊り上げ部材の吊り上げ状態を説明する説明図（その１）である。
【図５】本発明による側溝吊り上げ部材の吊り上げ状態を説明する説明図（その２）である。
【符号の説明】
１ 側溝吊り上げ部材
２ 挿入持ち上げ杆
３ 基杆
４ 操作杆
５ 吊り上げ用ロープ
６ コンクリート製側溝
７ 中空路
８ 第１フック部
９ 第２フック部
１０ 操作用取っ手
１１ 操作者
【図１】
0004215352.tif 000002
【図２】
0004215352.tif 000003
【図３】
0004215352.tif 000004
【図４】
0004215352.tif 000005
【図５】
0004215352.tif 000006